(57)【特許請求の範囲】
【請求項１】
ヒンジ部を介して画像読取部の上方に回動自在に支持され、前記画像読取部の上面に配置された原稿載置台に原稿を搬送する自動原稿搬送装置において、
前記自動原稿搬送装置は、原稿給紙トレイと、該原稿給紙トレイの下方に配置される原稿排出トレイと、前記原稿給紙トレイ及び前記原稿給紙トレイの側方に配置され、前記原稿給紙トレイから前記原稿給紙トレイまで原稿を搬送する原稿搬送路と、を有し、
前記自動原稿搬送装置の回動端側の前記原稿搬送路に対向する側面の、前記画像読取部から前記回動端側に突出する操作部と上下方向に重ならない位置に、握り手形状の把持部を設けたことを特徴とする自動原稿搬送装置。
【請求項２】
前記把持部は、両端が前記自動原稿搬送装置の回動端側の側面に支持された両持ち形状であることを特徴とする請求項１に記載の自動原稿搬送装置。
【請求項３】
前記把持部は、一端が前記自動原稿搬送装置の回動端側の側面に支持された片持ち形状であることを特徴とする請求項１に記載の自動原稿搬送装置。
【請求項４】
前記把持部の上方及び下方に、前記把持部を上下から把持可能な空間を設けたことを特徴とする請求項１乃至請求項３のいずれかに記載の自動原稿搬送装置。
【請求項５】
請求項１乃至請求項４のいずれかに記載の自動原稿搬送装置を備えた画像形成装置。
【発明の詳細な説明】
【技術分野】
【０００１】
本発明は、デジタル複写機やイメージスキャナー等に用いられる、原稿を走査して読み取る画像読取部を備えた画像形成装置に関し、特に、原稿を自動的に搬送する自動原稿搬送装置を備えた画像形成装置に関するものである。
【背景技術】
【０００２】
従来、電子写真プロセスを用いた複合機等に搭載される画像読取部には、シート状の原稿を読み取るために順次原稿載置台（コンタクトガラス）上へ送り込み、読み取り終了後に原稿載置台上から排出するような自動原稿搬送装置（Automatic Document Feeder）を備えたものがある。このような画像読取部においては、原稿押さえを閉じたままで自動原稿搬送装置によって原稿を自動的に搬送して読み取るシートスルー方式と、読み取る毎に自動原稿搬送装置を含む原稿押さえを開閉して原稿載置台（コンタクトガラス）上の原稿を１枚ずつ取り替えて光学系（走査手段）を移動させて原稿を読み取る原稿固定方式の２種類の読み取り方式が可能である。
【０００３】
上記のような自動原稿搬送装置を備えた画像形成装置では、原稿固定方式によって原稿を読み取る場合、原稿載置台上に原稿を載置したり、読み取りの終了した原稿を取り除いたりするために、原稿押さえと共に自動原稿搬送装置を持ち上げる必要がある。自動原稿搬送装置は重量が大きいため、自動原稿搬送装置を持ち上げる際に把持する把持部が必要となる。
【０００４】
例えば、特許文献１には、自動原稿搬送装置の前面に、スキャナー部（画像読取部）本体の前面よりも突出するようにして正面側に向けて斜め上方に突出した凹形状の取っ手部が形成された画像形成装置が開示されている。
【先行技術文献】
【特許文献】
【０００５】
【特許文献１】特開２００９−１９２６３４号公報
【発明の概要】
【発明が解決しようとする課題】
【０００６】
しかしながら、特許文献１の構成では、凹形状の取っ手部に指を差し入れて把持し、自動原稿搬送装置を開閉するため、指を差し入れる部分が分かりにくい。また、下方向からしか手を入れることができない上、取っ手部の直下には画像読取部が存在するため、自動原稿搬送装置を閉じる際に画像読取部と自動原稿搬送装置との間に指を挟む危険性もあった。
【０００７】
本発明は、上記問題点に鑑み、構成が簡単で開閉時の操作性に優れた自動原稿搬送装置及びそれを備えた画像形成装置を提供することを目的とする。
【課題を解決するための手段】
【０００８】
上記目的を達成するために本発明は、ヒンジ部を介して画像読取部の上方に回動自在に支持され、前記画像読取部の上面に配置された原稿載置台に原稿を搬送する自動原稿搬送装置において、前記自動原稿搬送装置の回動端側の側面に、握り手形状の把持部を設けたことを特徴としている。
【０００９】
また本発明は、上記構成の自動原稿搬送装置において、前記把持部は、両端が前記自動原稿搬送装置の回動端側の側面に支持された両持ち形状であることを特徴としている。
【００１０】
また本発明は、上記構成の自動原稿搬送装置において、前記把持部は、一端が前記自動原稿搬送装置の回動端側の側面に支持された片持ち形状であることを特徴としている。
【００１１】
また本発明は、上記構成の自動原稿搬送装置において、前記把持部の上方及び下方に、前記把持部を上下から把持可能な空間を設けたことを特徴としている。
【００１２】
また本発明は、上記構成の自動原稿搬送装置において、前記把持部は、前記画像読取部から突出する操作部と上下方向に重ならない位置に設けられることを特徴としている。
【００１３】
また本発明は、上記構成の自動原稿搬送装置が搭載された画像形成装置である。
【発明の効果】
【００１４】
本発明の第１の構成によれば、自動原稿搬送装置の回動端側に握り手形状の把持部を設けることにより、自動原稿搬送装置を開閉する際に把持する部分が一目でわかるため、開閉時の操作性が向上する。また、把持部を手のひら全体で確実に把持できるため、重量の重い自動原稿搬送装置でも円滑に開閉することができる。
【００１５】
また、本発明の第２の構成によれば、上記第１の構成の自動原稿搬送装置において、把持部を、両端が前記自動原稿搬送装置の回動端側の側面に支持された両持ち形状とすることにより、持ち易く、且つ強度の高い耐久性に優れた把持部となる。
【００１６】
また、本発明の第３の構成によれば、上記第１の構成の自動原稿搬送装置において、把持部を、一端が自動原稿搬送装置の回動端側の側面に支持された片持ち形状とすることにより、さらに持ち易い形状の把持部となる。
【００１７】
また、本発明の第４の構成によれば、上記第１乃至第３のいずれかの構成の自動原稿搬送装置において、把持部の上方及び下方に、把持部を上下から把持可能な空間を設けることにより、上方、或いは下方のどちらからでも把持部を把持することができ、ユーザーによる開閉操作の自由度が広がりユーザービリティーが向上する。
【００１８】
また、本発明の第５の構成によれば、上記第１乃至第４のいずれかの構成の自動原稿搬送装置において、把持部を、画像読取部から突出する操作部と上下方向に重ならない位置に設けることにより、自動原稿搬送装置の開閉時に把持部と操作部との間で手を挟む危険性がなくなり、安全性が向上する。また、操作部の操作性や視認性が低下するおそれもなくなる。
【００１９】
また、本発明の第６の構成によれば、上記第１乃至第５のいずれかの構成の自動原稿搬送装置を搭載することにより、自動原稿搬送装置の開閉時の操作性及び安全性に優れたユーザービリティーの高い画像形成装置となる。
【図面の簡単な説明】
【００２０】
【図１】本発明の一実施形態に係る自動原稿搬送装置を備えた画像形成装置の全体構成を示す側面断面図
【図２】本発明の一実施形態に係る自動原稿搬送装置の内部構造を示す側面断面図
【図３】自動原稿搬送装置が搭載される画像読取部の内部構造を示す側面断面図
【図４】本発明の一実施形態に係る自動原稿搬送装置を下方から見た外観斜視図
【図５】本発明の一実施形態に係る自動原稿搬送装置のヒンジ部周辺の側面断面図
【図６】本発明の一実施形態に係る自動原稿搬送装置を備えた画像形成装置を上方から見た斜視図
【図７】本発明の他の実施形態に係る自動原稿搬送装置を備えた画像形成装置を上方から見た斜視図
【発明を実施するための形態】
【００２１】
以下、図面を参照しながら本発明の実施形態について説明する。図１は、本発明の一実施形態に係る自動原稿搬送装置を備えた画像形成装置の概略構成図である。図１において、画像形成装置１００（ここでは一例としてデジタル複合機を示す）では、コピー動作を行う場合、後述する画像読取部６において原稿の画像データを読み取り画像信号に変換する。一方、複合機本体２内の画像形成部３において、帯電ユニット４により図中のＡ方向に回転する感光体ドラム５が一様に帯電され、画像読取部６で読み取られた原稿画像データに基づく露光ユニット（レーザー走査ユニット等）７からのレーザービームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００２２】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、反転搬送路１６に送られて両面コピーされた後に）、第１排出トレイ１７ａ、第２排出トレイ１７ｂから成る用紙排出部に排出される。
【００２３】
また、図示しないが、感光体ドラム５の表面の残留電荷を除去する除電装置が、感光体ドラム５の回転方向に対しクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像ユニット８等からなる画像形成部３に繋がっている。
【００２４】
装置本体上部には、画像読取部６が配置されており、装置本体上面には画像読取部６のコンタクトガラス２５（図５参照）上に載置される原稿を押さえて保持するプラテン（原稿押さえ）２４が開閉可能に設けられており、プラテン２４上には自動原稿搬送装置２７が付設されている。画像読取部６と自動原稿搬送装置２７は、画像読取装置２８を構成している。
【００２５】
用紙搬送路１５は、具体的には、定着ローラー対１４ａの下流側において、まず左右二股に分岐し、一方の経路（図１では右方向に分岐する経路）は排出ローラー対２０ａを経由して第１排出トレイ１７ａに連通するように構成されている。そして、他方の経路（図１では左方向に分岐する経路）は搬送ローラー対１９を経由して二股に分岐し、一方の経路（図１では左方向に分岐する経路）は排出ローラー対２０ｂを経由して第２排出トレイ１７ｂに連通するように構成されている。これに対し、他方の経路（図１では下方向に分岐する経路）は反転搬送路１６に連通するように構成されている。
【００２６】
図２は、自動原稿搬送装置２７の内部構造を示す側面断面図である。カバー部材３１内には、原稿給紙トレイ２９から原稿排出トレイ３２に至る原稿搬送路ｄが形成されており、原稿搬送路ｄに沿ってピックアップローラー３３、給紙ベルト３４及び分離ローラー３５、レジストローラー対３６、搬送ローラー対３７、３８、３９、及び４０、ＣＩＳローラー４１、反転ローラー対４２、排出ローラー対４３等から成る原稿搬送部材が設けられている。
【００２７】
給紙ベルト３４は駆動ローラー４４ａと従動ローラー４４ｂに掛け回されており、下方から分離ローラー３５が所定の圧力で接触している。分離ローラー３５にはトルクリミッターが内蔵されており、回転負荷が所定トルクを下回る場合のみ給紙ベルト３４と逆方向に回転し、回転負荷が所定トルクを上回る場合には給紙ベルト３４と従動回転するようになっている。ピックアップローラー３３の上方には原稿の上面位置を検知する上面検知センサー５０が配置されている。
【００２８】
コンタクトガラス２５は、自動読取用ガラス２５ａと手置き原稿用ガラス２５ｂから成り、自動読取用ガラス２５ａに対向して配置されたシェーディング補正用の白基準板と、白基準板の上部にあって白基準板を自動読取用ガラス２５ａに向けて押圧するための原稿押圧部（いずれも図示せず）とが設けられている。なお、原稿搬送路ｄはレジストローラー対３６から自動読取用ガラス２５ａに至る間において反転するように湾曲している。また、原稿搬送路ｄには、原稿の存否或いは通過を検知するための給紙センサーＳ１、排出センサーＳ２を含む複数の用紙検知センサーが適所に設けられている。
【００２９】
次に、自動原稿搬送装置２７を用いたシートスルー方式の原稿搬送動作について説明する。シートスルー方式においては、原稿給紙トレイ２９に画像面を上向きにして複数枚の原稿をセットした後、画像形成装置１００の操作パネル５５（図１参照）のコピー開始ボタンがオンされると、昇降機構（図示せず）により上昇したリフト板４５が原稿を介してピックアップローラー３３を押し上げ、ピックアップローラー３３を含む枠体（図示せず）の重さがリフト板４５に加わることにより、原稿の上面が所定の圧力（給紙圧）でピックアップローラー３３に押しつけられる。
【００３０】
ここで、ピックアップローラー３３、駆動ローラー４４ａ、従動ローラー４４ｂ及び給紙ベルト３４は、図示しない枠体に配置されている。また、ピックアップローラー３３は駆動ローラー４４ａと不図示のギアで連結されており、ローラー駆動モーター（図示せず）により駆動ローラー４４ａが回転すると、駆動ローラー４４ａと従動ローラー４４ｂとにより張架された給紙ベルト３４が回転駆動されると共に、ピックアップローラー３３も回転駆動される。
【００３１】
原稿給紙トレイ２９にセットされた原稿は、ピックアップローラー３３によって通常上段の複数枚が給紙ベルト３４と分離ローラー３５のニップ部に送られる。そして、複数枚の原稿のうち分離ローラー３５により最上の１枚のみが分離されてレジストローラー対３６に向けて搬送される。その際、原稿の先端が給紙センサーＳ１によって検出されてから所定の距離だけその原稿が搬送された後、ローラー駆動モーターの作動停止によってピックアップローラー３３及び給紙ベルト３４の回転駆動が停止され一次給紙が終了する。一次給紙された原稿は、その先端がレジストローラー対３６のニップ部に撓みが形成された状態で停止させられる。
【００３２】
一次給紙が終了してから所定時間経過後、二次給紙が開始される。つまり、二次給紙駆動モーター（図示せず）の作動によりレジストローラー対３６が回転駆動される。原稿は、レジストローラー対３６、搬送ローラー対３７〜３９、ＣＩＳローラー４１により、自動読取用ガラス２５ａを経て排出ローラー対４３に向けて搬送された後、最終的には排出ローラー対４３によって原稿排出トレイ３２上に排出される。その際、排出センサーＳ２により原稿の後端通過を検知したことによって、原稿１枚の画像読み取りの完了を検出するようになっている。
【００３３】
ここで排出センサーＳ２は、原稿の搬送完了毎に原稿枚数を計数するカウント機能を有しており、給紙センサーＳ１が後続の原稿を検知していれば、２枚目以降の原稿搬送が上記と同様に続行される。なお、原稿は、自動読取用ガラス２５ａを通過する際に、搬送ガイド５３と当接することによって上方から自動読取用ガラス２５ａに向けて軽く押圧されながら搬送され、その原稿の画像が自動読取用ガラス２５ａを通じて画像読取部６（図１参照）により読み取られるようになっている。
【００３４】
また、両面原稿を読み取る場合は、ＣＩＳローラー４１に対向して設けられたコンタクトイメージセンサー５１で原稿裏面の画像を読み取り、自動読取用ガラス２５ａで原稿表面の画像を読み取る一段階読み取り法と、自動読取用ガラス２５ａで原稿表面の画像を読み取った後、分岐爪４７ａ、４７ｂ、及び４７ｃにより原稿を反転トレイ３０に振り分け、反転ローラー対４２を逆転させて、原稿の裏面を上にした状態で再びレジストローラー対３６の上流側に搬送し、自動読取用ガラス２５ａで原稿裏面の画像を読み取る二段階読み取り法とがある。
【００３５】
コンタクトイメージセンサー５１による読み取りは読み取り時間が短縮できる反面、自動読取用ガラス２５ａでの読み取りに比べて画質の面で劣る。そのため、文字原稿などの場合はコンタクトイメージセンサー５１を用いた一段階読み取り法を用い、写真原稿など高画質、高精細な読み取りが要求される場合は反転トレイ３０を用いた二段階読み取り法を用いることが好ましい。
【００３６】
なお、二段階読み取り法を用いる場合、読み取り終了後の原稿をそのまま原稿排出トレイ３２に順次排出すると、排出された原稿は原稿給紙トレイ２９にセットした状態と表裏が逆になって積載されることになる。そこで、自動読取用ガラス２５ａで原稿裏面の画像を読み取った後、分岐爪４７ａ〜４７ｃを揺動させて原稿を再び反転トレイ３０上へ導入し、搬送ローラー対４０及び排出ローラー対４３を介して原稿排出トレイ３２へ排出する。これにより、各原稿の表裏が排出前にもう一度反転されるため、原稿給紙トレイ２９にセットした状態を保持したまま原稿排出トレイ３２上へ積載することができる。
【００３７】
続いて、原稿の画像を電気信号として読み取るための画像読取部６の構成について説明する。図３は、画像読取部６の内部構造を示す側面断面図である。画像読取部６のフレーム６ａ内には、原稿の画像面に向けて光を照射するランプ（光源）６１と、このランプ６１からの光を効率よく原稿の画像面に与えるための反射板６２と、原稿反射光を直接に受けて反射させる第１ミラー６３と、この第１ミラー６３からの反射光を受けて反射させる第２ミラー６４と、この第２ミラー６４からの反射光を受けて反射させる第３ミラー６５と、が配設されている。
【００３８】
また、この第３ミラー６５からの反射光を導入して集光するレンズ群（不図示）を保持した鏡胴６６と、この鏡胴６６のレンズ群で集光された原稿反射光を受けて電気信号に変換する光電変換素子を備えたライン型のＣＣＤ（光電変換部材）センサー６７と、がベースプレート７０上に配設されている。なお、原稿反射光の光路を一点鎖線で示す。
【００３９】
ここで、ランプ６１、反射板６２及び第１ミラー６３は第１キャリッジ６８上に一体的に固定され、また、第２ミラー６４及び第３ミラー６５は第２キャリッジ６９上に一体的に固定されている。これらの第１及び第２キャリッジ６８、６９は、走査手段を構成しており、相互に独立しているが連携して往復移動可能になっている。
【００４０】
つまり、上記のシートスルー方式で原稿画像の読取動作が行われる際は、第１キャリッジ６８が自動読取用ガラス２５ａの第１画像読取領域（画像読取位置）Ｒ１の直下に移動して保持されるとともに、第２キャリッジ６９が所定位置に保持され、他方、原稿固定方式で原稿画像の読取動作が行われる際は、第１キャリッジ６８と第２キャリッジ６９は相互に原稿反射光の光路長を一定に維持しながら手置き原稿用ガラス２５ｂの第２画像読取領域Ｒ２の下方を往復移動（走査移動）する。また、第１キャリッジ６８及び第２キャリッジ６９は、不図示のキャリッジ駆動モーターにより駆動されるようになっている。また、第１及び第２キャリッジ６８、６９は、白基準板（不図示）の直下をホームポジションとしている。
【００４１】
このような構成のもと、ランプ６１から照射されて原稿の画像面で反射した原稿反射光は、第１ミラー６３〜第３ミラー６５で反射して鏡胴６６内のレンズ群に導入され、レンズ群で集光されてＣＣＤセンサー６７上に結像する。そして、このＣＣＤセンサー６７で光電変換処理がなされ、原稿画像は電気信号として読み取られる。
【００４２】
図４は、本発明の一実施形態に係る自動原稿搬送装置を下方から見た外観斜視図である。自動原稿搬送装置２７は、複数枚の原稿を整合して積載する原稿ガイド２９ａを備えた原稿給紙トレイ２９と、原稿給紙トレイ２９の下方に設けられた反転トレイ３０（図２参照）とを有し、原稿給紙トレイ２９及び反転トレイ３０は自動原稿搬送装置２７のフレーム（図示せず）に対して各々の部材が装着されている。
【００４３】
また、自動原稿搬送装置２７のフレームに対し一端（図の左下）を回動支点としてカバー部材３１が開閉可能に支持されており、カバー部材３１を開放することで原稿搬送路ｄ（図４参照）を開放し、ジャム処理が可能となっている。このカバー部材３１の側方には原稿排出トレイ３２がプラテン２４の上面の一部に直付けで形成されている。プラテン２４は２箇所のヒンジ部８０ａ、８０ｂによって画像読取部６の上面の一端に回動自在に支持されており、ヒンジ部８０ａ、８０ｂの下部にはヒンジ足８１が付設されている。
【００４４】
プラテン２４の裏面には、コンタクトガラス２５（図５参照）上に載置された原稿の略全面を覆い押さえる原稿マット２４ａが設けられている。原稿マット２４ａは、通常、シート部材とスポンジ等で形成されており、プラテン２４及び自動原稿搬送装置２７の荷重により圧縮されてコンタクトガラス２５上の原稿を確実に保持する。
【００４５】
また、カバー部材３１の装置本体前面側（自動原稿搬送装置２７の回動端側）の側面には、自動原稿搬送装置２７を開閉する際に把持するグリップ（握り手）形状の把持部５３が固定されている。把持部５３は上下方向に貫通する貫通孔５３ａを有し、両端部においてカバー部材３１に支持される両持ち形状である。
【００４６】
図５は、自動原稿搬送装置２７のヒンジ部周辺の構成を示す側面断面図である。図５において、自動原稿搬送装置２７は、画像読取部６本体に対してヒンジ部８０ａ、８０ｂの回動支点８２を中心として、プラテン２４と共に開状態の姿勢２７ａから閉状態の姿勢２７ｂまで回動可能に構成されている。
【００４７】
ヒンジ部８０ａ、８０ｂは、コンタクトガラス２５上に書籍等の厚手の原稿を置いて自動原稿搬送装置２７を閉じた際に、ヒンジ部８０ａ、８０ｂの下部に設けられたヒンジ足８１が、ヒンジ受け７３の奥側ガイド面７３ａ、側方ガイド面７３ｂ、及びベアリング７４ａ、７４ｂにより水平方向には移動せず、垂直方向にのみ移動するように構成されている。自動原稿搬送装置２７の重量に起因するモーメントによって大きな負荷を受ける装置前後方向（図５の左右方向）については、ベアリング７４ａ、７４ｂでガイドすることにより、ヒンジ足８１の円滑な上下動を可能にしている。
【００４８】
図６は、本発明の自動原稿搬送装置２７を備えた画像形成装置１００を上方から見た斜視図である。自動原稿搬送装置２７の装置本体前面側（回動端側）には把持部５３が突設されており、自動原稿搬送装置２７を開閉する際に把持する部分が一目でわかるようになっている。また、把持部５３は手のひら全体で確実に把持できる握り手形状であるため、重量の重い自動原稿搬送装置２７でも円滑に開閉することができる。
【００４９】
さらに、把持部５３の上方及び下方には画像読取部６の筐体やプラテン２４等の他の部材が突出しておらず、貫通孔５３ａに手を差し入れ可能な空間が形成されている。これにより、上方、或いは下方のどちらからでも貫通孔５３ａに手を差し入れて把持部５３を把持することができ、ユーザーによる開閉操作の自由度が広がりユーザービリティーが向上する。
【００５０】
また、把持部５３は、画像読取部６の前面側に突出する操作パネル５５と上下方向に重ならない位置に設けられている。これにより、自動原稿搬送装置２７の開閉時に把持部３３と操作パネル５５との間で手を挟む危険性がなくなり、安全性が向上する。また、把持部５３によって操作パネル５５の操作性や視認性が低下するおそれもない。
【００５１】
図７は、本発明の他の実施形態に係る自動原稿搬送装置２７を備えた画像形成装置１００を上方から見た斜視図である。図７では、自動原稿搬送装置２７の装置本体前面側（回動端側）に、一端がカバー部３１の側面に支持された片持ち形状の把持部５３が突設されている。他の部分の構成は図６と同様であるため説明を省略する。
【００５２】
図７の構成においても、自動原稿搬送装置２７を開閉する際に把持する部分が一目でわかるようになっている。また、把持部５３は手のひら全体で確実に把持できる握り手形状であるため、重量の重い自動原稿搬送装置２７でも円滑に開閉することができる。
【００５３】
また、把持部５３は、画像読取部６の前面側に突出する操作パネル５５と上下方向に重ならない位置に設けられているため、自動原稿搬送装置２７の開閉時に把持部５３と操作パネル５５との間で手を挟む危険性がなくなり、安全性が向上する。また、操作パネル５５の操作性や視認性が低下するおそれもない。さらに、把持部５３は片持ち形状であるため、図６に示した両持ち形状の把持部５３に比べて強度的にはやや低下する反面、より把持し易い形状となっている。
【００５４】
その他本発明は、上記各実施形態に限定されず、本発明の趣旨を逸脱しない範囲で種々の変更が可能である。例えば、上記実施形態に示した把持部５３は握り手形状であれば良く、細部の形状や大きさ、配置位置等は、装置の構成や使用性を考慮して適宜設定することができる。
【産業上の利用可能性】
【００５５】
本発明は、ヒンジ部を介して画像読取部に回動可能に支持される自動原稿搬送装置に利用可能である。本発明の利用により、開閉時の操作性及び安全性に優れた自動原稿搬送装置及びそれを備えた画像形成装置を提供することができる。
【符号の説明】
【００５６】
６                画像読取部
２５              コンタクトガラス（原稿載置台）
２５ａ            自動読取用ガラス
２５ｂ            手置き原稿用ガラス
２７              自動原稿搬送装置
２８              画像読取装置
５３              把持部
５３ａ            貫通孔
５５              操作パネル（操作部）
８０ａ、８０ｂ    ヒンジ部
８１              ヒンジ足
８３              ヒンジベース
１００            画像形成装置
【図１】
0005594905.tif 000002
【図２】
0005594905.tif 000003
【図３】
0005594905.tif 000004
【図４】
0005594905.tif 000005
【図５】
0005594905.tif 000006
【図６】
0005594905.tif 000007
【図７】
0005594905.tif 000008